(57)【要約】【課題】シャッタートリガ機構の、外部空間域に露出しないようにカバーされている内容物放出口の不用意な露出状態移行の防止化を図る。【解決手段】図示の静止ロックモードのとき、スライダ１８がステムジョイント１５およびトリガレバー１７をロックしている。スライダ１８を右側にスライドさせると、先ずカム作用部１７ｆと腕状ロック作用部１８ｄとの当接状態および直線状被ロック作用部１７ｄと直線状ロック作用部１８ｍとの当接状態がともに解除され、かつ、ステムジョイント１５の筒状部下端部と円弧状段部１８ｇとの当接状態も解除される。さらなるスライド操作により、トリガレバー駆動作用部１８ｎが縦凸状部１７ｅを押し下げて、放出口１５ｂを露出させる。この露出状態でトリガレバー１７を引き操作すると、そのカム作用部１７ｆが被駆動凸状部１５ｄおよびこれと一体のステム１４を下方に駆動し、内容物が放出口１５ｂから放出される。【選択図】図１
2015020775.tif 000002
【特許請求の範囲】
【請求項１】
放出口のシャット状態を設定するトリガレバーの静止ロックモードがスライド部材の第一の方向へのスライド操作により解除され、その後の当該トリガレバーの引き操作により、露出状態の当該放出口から内容物が外部空間域に放出されるシャッタートリガ機構において、
前記スライド部材は、
前記シャット状態のときには前記トリガレバーとのロック作用によりその引き操作を阻止し、かつ、前記第一の方向へのスライド操作により当該トリガレバーとのロック状態が解除される引き操作阻止部と、
前記第一の方向とは逆の第二の方向へのスライド操作により、当該トリガレバーを前記静止ロックモードの位置へと駆動するトリガレバー駆動部と、を備え、
前記トリガレバーは、
前記第二の方向へのスライド操作にともなう前記トリガレバー駆動部の作用により、前記静止ロックモードの位置へ駆動される第一の被駆動部と、
前記第二の方向へのスライド操作により前記引き操作阻止部にロックされ、かつ、前記第一の方向へのスライド操作によりこのロック状態から開放される被ロック作用部と、を備えている、
ことを特徴とするシャッタートリガ機構。
【請求項２】
前記引き操作阻止部および前記トリガレバー駆動部は、
それぞれ前記スライド部材の同じ構成要素の異なる面部分の態様で形成されており、
前記第一の被駆動部および被ロック作用部は、
それぞれ前記トリガレバーの同じ構成要素の異なる面部分の態様で形成されている、
ことを特徴とする請求項１記載のシャッタートリガ機構。
【請求項３】
前記スライド部材は、
放出口にいたる内容物通路部をカバーする天板部を備え、
前記引き操作阻止部および前記トリガレバー駆動部は、
それぞれ前記天板部から延びる垂下部分に形成された前向き凸状部に設定されている、
ことを特徴とする請求項１または請求項２記載のシャッタートリガ機構。
【請求項４】
前記引き操作阻止部は、
前記天板部から延びる垂下部分に形成された前後方向の直線状ロック作用部を含む、
ことを特徴とする請求項３記載のシャッタートリガ機構。
【請求項５】
前記スライド部材は、
前記シャット状態から前記第一の方向へのスライド操作により、前記トリガレバーを、その引き操作方向に内容物放出作動前の位置まで初期駆動して当該シャット状態から前記露出状態に移行させるトリガレバー初期駆動部を備え、
前記トリガレバーは、
前記トリガレバー初期駆動部により前記引き操作方向に初期駆動される第二の被駆動部を備えている、
ことを特徴とする請求項１乃至請求項４のいずれかに記載のシャッタートリガ機構。
【請求項６】
前記引き操作阻止部は、
前記天板部から延びる垂下部分に形成された前後方向の直線状ロック作用部を含み、
前記スライド部材は、
前記シャット状態から前記第一の方向へのスライド操作により、前記トリガレバーを、その引き操作方向に内容物放出作動前の位置まで初期駆動して当該シャット状態から前記露出状態に移行させるトリガレバー初期駆動部を備え、
前記トリガレバーは、
前記トリガレバー初期駆動部により前記引き操作方向に初期駆動される第二の被駆動部を備え、
前記トリガレバー初期駆動部は、
前記直線状ロック作用部の下面側に形成されている、
ことを特徴とする請求項３記載のシャッタートリガ機構。
【請求項７】
前記スライド部材は、
静止ロックモードのとき、前記トリガレバーの引き操作に連動するステム作用部を、内容物放出状態の作動モードの位置に移動できないロック状態に設定し、前記第一の方向へのスライド操作により当該ロック状態が解除されるステムロック作用部を備えている、
ことを特徴とする請求項１乃至請求項６のいずれかに記載のシャッタートリガ機構。
【請求項８】
請求項１乃至請求項７のいずれかに記載のシャッタートリガ機構を備え、かつ、容器本体に内容物を収納した、
ことを特徴とするポンプ式製品。
【請求項９】
請求項１乃至請求項７のいずれかに記載のシャッタートリガ機構を備え、かつ、容器本体に噴射用ガスおよび内容物を収納した、
ことを特徴とするエアゾール式製品。
【発明の詳細な説明】
【技術分野】
【０００１】
本発明は、トリガレバーの内容物放出操作により容器本体側の内容物が放出口から外部空間域に放出されるシャッタートリガ機構などに関する。
【０００２】
特に、トリガレバーの内容物放出操作（引き操作）がおこなわれていない静止モードのとき、当該トリガレバーで内容物の放出口をカバーして保護し、
さらにはロック作用部材のスライド操作などにより、
トリガレバーをロックして内容物放出操作を阻止する静止ロックモードと、
トリガレバーのロックを解除して内容物放出操作を可能とする静止アンロックモード（初期）と、
トリガレバーのロック解除とともに内容物放出口を露出状態に設定する静止アンロックモード（最終）と、を選択できるようにしたシャッタートリガ機構などに関する。
【０００３】
本明細書では、前後左右の位置関係について、トリガレバー１７の操作対象部１７ａの側を「前」、それとは反対の例えば凸状軸部１７ｂの側を「後」とそれぞれ記す。
【０００４】
この前後方向とおおよそ水平面内で略直交する方向などを「左右」とする。また、上下方向を「縦」ともいい、この縦方向に対して略直交する任意の方向を「横」という。ここでは「左右方向」に加えて、「前後方向」も「縦方向（上下方向）」に対する「横方向」ともいえる。
【０００５】
例えば図１〜図６は前後方向の断面図であり、ステムジョイント１５の筒状部は前後，上下方向に延び、カラー部材１６の上段部１６ｃおよび下段部１６ｄは前後方向に延び、トリガレバー１７の直線状被ロック作用部１７ｄは前後方向に延び、スライダ１８の柱状垂下部１８ｃは左右方向および縦方向に延びている。
【０００６】
上述したように、トリガレバーの内容物放出操作がおこなわれていない静止モードは当該トリガレバーの操作が阻止される静止ロックモードと、当該操作が阻止されない静止アンロックモードとに区別される。
【０００７】
また、トリガレバーで内容物放出口がカバーされて外部空間域の方に露出しない状態を「シャット状態」といい、この状態のときに容物放出口を内容物漏出防止のためシールするか、シールしないかは任意である。トリガレバーの内容物放出操作により内容物が放出されるモードを「作動モード」という。
【背景技術】
【０００８】
本件出願人は、静止モードのとき内容物放出口をトリガレバーでカバーし、かつ、当該内容物放出口に通じる内容物通路の上方などをカバーするスライダのスライド操作により、トリガレバーをロックして内容物放出操作を阻止する静止ロックモードと、トリガレバーのロックを解除して内容物放出操作を可能とする静止アンロックモードと、を選択できようにしたシャッタートリガ機構を提案している（特許文献１参照）。
【先行技術文献】
【特許文献】
【０００９】
【特許文献１】特願２０１２−２７８４３１
【発明の概要】
【発明が解決しようとする課題】
【００１０】
提案済みのシャッタートリガ機構は、静止モードのとき、トリガレバーなどで内容物放出口をカバーして保護するとともに、スライダでトリガレバーをロック状態に設定してその引き操作（回動操作）を阻止し、かつ、スライダのスライド操作によりトリガレバーのロック状態が解除される態様のものである。
【００１１】
提案済みのものは、このように静止モードにおけるトリガレバーの引き操作（内容物放出操作）阻止機能を備え、これによりシャッタートリガ機構の元々外部空間域に露出しないようにカバーされている内容物放出口のいわば不用意な露出状態移行の防止化を図ることができる、といった格段の利便性を備えたものである。
【００１２】
本発明では、このような利点を備えたシャッタートリガ機構のさらなる機能として、スライド操作の初期段階におけるトリガレバーの引き操作ロックの解除に加えて、スライド操作最終段階のときに、トリガレバーが、いわばステム駆動直前（内容物放出動作開始直前）の位置へ移動することにより、内容物放出口が露出状態に自動設定される機能を追加したものである。
【００１３】
本発明は、この新たなスライド操作機能により、トリガレバーの引き操作を阻止し、またこの阻止状態を解除し、さらには内容物放出口をトリガレバーによるカバー状態から内容物放出直前の露出状態へシフトさせるための、利用者の操作全体の簡単化を図るとともに、シャッタートリガ機構全体の外観についての良好なデザイン性確保を図ることを目的とする。
【課題を解決するための手段】
【００１４】
本発明は、以上の課題を次のシャッタートリガ機構を用いることにより解決する。
（１）放出口（例えば後述の放出口１５ｂ）のシャット状態を設定するトリガレバー（例えば後述のトリガレバー１７）の静止ロックモードがスライド部材（例えば後述のスライダ１８）の第一の方向（例えば後方向：図１〜図６の右方向）へのスライド操作により解除され、その後の当該トリガレバーの引き操作により、露出状態の当該放出口から内容物が外部空間域に放出されるシャッタートリガ機構において、
前記スライド部材は、
前記シャット状態のときには前記トリガレバーとのロック作用によりその引き操作を阻止し、かつ、前記第一の方向へのスライド操作により当該トリガレバーとのロック状態が解除される引き操作阻止部（例えば後述の腕状ロック作用部１８ｄ，直線状ロック作用部１８ｍ）と、
前記第一の方向とは逆の第二の方向（例えば前方向：図１〜図６の左方向）へのスライド操作により、当該トリガレバーを前記静止ロックモードの位置へと駆動するトリガレバー駆動部（例えば後述の腕状ロック作用部１８ｄ）と、を備え、
前記トリガレバーは、
前記第二の方向へのスライド操作にともなう前記トリガレバー駆動部の作用により、前記静止ロックモードの位置へ駆動される第一の被駆動部（例えば後述のカム作用部１７ｆ）と、
前記第二の方向へのスライド操作により前記引き操作阻止部にロックされ、かつ、前記第一の方向へのスライド操作によりこのロック状態から開放される被ロック作用部（例えば後述のカム作用部１７ｆ，直線状被ロック作用部１７ｄ）と、を備えている、
構成態様のものを用いる。
（２）上記（１）において、
前記引き操作阻止部および前記トリガレバー駆動部は、
それぞれ前記スライド部材の同じ構成要素の異なる面部分（例えば後述の腕状ロック作用部１８ｄの上面および先端面）の態様で形成されており、
前記第一の被駆動部および被ロック作用部は、
それぞれ前記トリガレバーの同じ構成要素の異なる面部分（例えば後述の後テーパ状側面１７ｈおよびカム作用面１７ｇ）の態様で形成されている、
構成態様のものを用いる。
（３）上記（１），（２）において、
前記スライド部材は、
放出口にいたる内容物通路部（例えば後述のステムジョイント１５の筒状部）をカバーする天板部（例えば後述の天板部１８ａ）を備え、
前記引き操作阻止部および前記トリガレバー駆動部は、
それぞれ前記天板部から延びる垂下部分（例えば後述の柱状垂下部１８ｃ）に形成された前向き凸状部（例えば後述の腕状ロック作用部１８ｄ）に設定されている、
構成態様のものを用いる。
（４）上記（３）において、
前記引き操作阻止部は、
前記天板部から延びる垂下部分（例えば後述の板状垂下部１８ｈ）に形成された前後方向の直線状ロック作用部（例えば後述の直線状ロック作用部１８ｍ）を含む、
構成態様のものを用いる。
（５）上記（１）〜（４）において、
前記スライド部材は、
前記シャット状態から前記第一の方向へのスライド操作により、前記トリガレバーを、その引き操作方向に内容物放出作動前の位置まで初期駆動して当該シャット状態から前記露出状態に移行させるトリガレバー初期駆動部（例えば後述のトリガレバー駆動作用部１８ｎ）を備え、
前記トリガレバーは、
前記トリガレバー初期駆動部により前記引き操作方向に初期駆動される第二の被駆動部（例えば後述の縦凸状部１７ｅ）を備えている、
構成態様のものを用いる。
（６）上記（３）において、
前記引き操作阻止部は、
前記天板部から延びる垂下部分（例えば後述の板状垂下部１８ｈ）に形成された前後方向の直線状ロック作用部（例えば後述の直線状ロック作用部１８ｍ）を含み、
前記スライド部材は、
前記シャット状態から前記第一の方向へのスライド操作により、前記トリガレバーを、その引き操作方向に内容物放出作動前の位置まで初期駆動して当該シャット状態から前記露出状態に移行させるトリガレバー初期駆動部（例えば後述のトリガレバー駆動作用部１８ｎ）を備え、
前記トリガレバーは、
前記トリガレバー初期駆動部により前記引き操作方向に初期駆動される第二の被駆動部（例えば後述の縦凸状部１７ｅ）を備え、
前記トリガレバー初期駆動部は、
前記直線状ロック作用部の下面側に形成されている、
構成態様のものを用いる。
（７）上記（１）〜（６）において、
前記スライド部材は、
静止ロックモードのとき、前記トリガレバーの引き操作に連動するステム作用部（例えば後述のステム１４，ステムジョイント１５）を、内容物放出状態の作動モードの位置に移動できないロック状態に設定し、前記第一の方向へのスライド操作により当該ロック状態が解除されるステムロック作用部（例えば後述の円弧状段部１８ｇ）を備えている、
構成態様のものを用いる。
【００１５】
このような構成からなるシャッタートリガ機構、ならびに当該シャッタートリガ機構を備えて後述のガス，内容物などを容器本体に収容したエアゾール式製品および当該シャッタートリガ機構を備えて後述の内容物などを容器本体に収容したポンプ式製品を本発明の対象としている。
【発明の効果】
【００１６】
本発明は以上の課題解決手段をとることにより、
(11)トリガレバーの引き操作を阻止し、またこの阻止状態を解除し、さらには内容物放出口をトリガレバーによるカバー状態から内容物放出直前の露出状態へシフトさせるための、利用者の操作全体の簡単化を図ることができ、
(12)シャッタートリガ機構全体の外観についての良好なデザイン性確保を図ることができる。
【図面の簡単な説明】
【００１７】
【図１】シャッタートリガ機構の静止ロックモード（スライダ１８が最前方位置）の縦断面を示す説明図である。
【図２】図１のシャッタートリガ機構の静止アンロックモードの初期状態、すなわちスライダ１８が初期後退して、トリガレバー１７のロック状態は解除されたものの、ステムジョイント１５の放出口１５ｂが露出していない初期状態を示す説明図である。
【図３】図１のシャッタートリガ機構の静止アンロックモードの最終状態、すなわちスライダ１８が最大限後退して、ステムジョイント１５の放出口１５ｂが露出するものの、トリガレバー１７は何ら回動操作されずに、当該ステムジョイントも何ら下方向に駆動されていない最終状態を示す説明図である。
【図４】図３に続いて、利用者がトリガレバー１７を反時計方向に回動操作したときの内容物放出状態、すなわち作動モードを示す説明図である。
【図５】図４における利用者のトリガレバー回動操作の終了によりステム１４およびステムジョイント１５が静止モード位置に復帰し、その後、利用者がスライダ１８を前方向に移動させることによりトリガレバー１７のカム作用部１７ｆが前方向に駆動される、すなわち腕状ロック作用部１８ｄによって当該トリガレバーがトリガレバー復帰方向に駆動されている状態を示す説明図である。
【図６】スライダ１８が図５のときよりも前方に移動して、その腕状ロック作用部１８ｄの先端上面のテーパ部分がトリガレバー１７のカム作用面の後端部分に当接した状態、すなわち静止ロックモード直前の状態を示す説明図である。
【図７】図１のシャッタートリガ機構を構成するステムジョイント１５の斜視状態を示す説明図である。
【図８】図１のシャッタートリガ機構を構成するカラー部材１６の斜視状態を示す説明図である。
【図９】図１のシャッタートリガ機構を構成するトリガレバー１７の斜視状態を示す説明図である。
【図１０】図１のシャッタートリガ機構を構成するスライダ１８の斜視状態を示す説明図である。
【発明を実施するための最良の形態】
【００１８】
図１〜図１０を用いて本発明を実施するための最良の形態を説明する。
【００１９】
この実施形態においては、単なる説明の便宜上、トリガレバーで内容物放出口がカバーされて外部空間域の方に露出しないシャット状態のときに、内容物放出口をシールしないタイプのシャッタートリガ機構を前提としている。
【００２０】
図１〜図１０のエアゾール式製品を前提としたシャッタートリガ機構は、（容器本体１１に取り付けられる）マウンティングキャップ１２，ハウジング１３，ステム１４，ステムジョイント１５，カラー部材１６，トリガレバー１７およびトリガレバーロック用のスライダ１８などからなっている。
【００２１】
以下のアルファベット付き参照番号の構成要素（例えば横孔部１４ａ）は原則として、その数字部分の構成要素（例えばステム１４）の一部であることを示している。
【００２２】
図１〜図１０において、
１１は後述の内容物および噴射用ガスを収納した周知の容器本体，
１２は容器本体１１の開口端部側に取り付けられた周知のマウンティングキャップ，
１２ａは当該マウンティングキャップの外側下端域に設定されて後述のカラー部材１６の内周面下端側の環凸状部が強く係合する周知の環凹状部，
１３はマウンティングキャップ１２の中央部分に係合保持され、放出対象内容物の貯留域，通路域として作動するハウジング，
をそれぞれ示している。
【００２３】
また、
１４は弾性力により上方向へ付勢された状態で、ハウジング１３の内部およびその上方空間域に配設されて周知のバルブ作用を呈する鞘形状のステム，
１４ａはステム周面部に形成された弁作用部としての横孔部，
１４ｂはステム内部に形成されて横孔部１４ａと連通する中間通路域，
１４ｃは横孔部１４ａの開閉状態を選択的に設定し、またハウジング内部のシール作用を呈する周知のステムガスケット，
１４ｄは当該ステムを上方向に付勢する周知のコイルスプリング，
をそれぞれ示している。
【００２４】
また、
１５はＬ字状の内容物出力側通路域として作用し、その下端側筒状部にステム１４の出力側外周面が嵌合固定されて当該ステムと上下方向に連動するステムジョイント，
１５ａは当該ステムジョイントの下流端側を構成するノズル，
１５ｂはノズル１５ａの先端部分に形成された内容物噴射用の放出口，
１５ｃは当該ステムジョイントの下端側筒状部の外周面から前方向および左右両方向に延び半円板状テラス部，
１５ｄは半円板状テラス部１５ｃの前後方向に形成されて、その上面部分に、後述のトリガレバー１７のカム作用面１７ｇが後述のスライダ１８の後退操作終了段階で当接し、その後の当該トリガレバー引き操作により下方に駆動される一対の被駆動凸状部，
１５ｅは半円板状テラス部１５ｃの左右両後端側に形成されて、後述のカラー部材１６の縦溝状部１６ｇのガイド作用により当該ステムジョイントの前後方向へのずれや回動方向への捩れなどを阻止する一対の凸状垂下部，
をそれぞれ示している。
【００２５】
また、
１６はマウンティングキャップ１２の環凹状部１２ａに嵌合保持されて、後述のトリガレバー１７の回動中心部および後述のスライダ１８のガイド部などとして作用するカラー部材，
１６ａはマウンティングキャップ１２の環凹状部１２ａに嵌合保持される筒状基部，
１６ｂは後述のトリガレバー１７の回動中心部として作用する一対の孔部，
１６ｃは対向する左右の平板状部分それぞれの前側に形成されて、後述のスライダ１８の前側下端面１８ｊを案内する水平方向の一対の上段部，
１６ｄは対向する左右の平板状部分それぞれの後側に形成されて、スライダ１８の後側下端面１８ｋを案内する水平方向の一対の下段部，
１６ｅは上段部１６ｃおよび下段部１６ｄの各外端部分から起立してスライダ１８の左右方向の位置ずれを阻止するための左右一対の起立ガイド面，
１６ｆは下段部１６ｄの直上部分に形成されてスライダ１８の外向き凸状部１８ｐを案内する水平方向の一対の横溝状部，
１６ｇは上段部１６ｃと下段部１６ｄとの間に形成されて、ステムジョイント１５の凸状垂下部１５ｅを案内する一対の縦溝状部，
１６ｈは、下段部１６ｄを有する平側板状部分の下側に、当該平側板状部分から離間した平面Ｌ字状の水平態様で形成されて、スライダ１８の上凸状部１８ｅの下面部分を案内する一対のレール状上端面，
１６ｊはレール状上端面１６ｈと同様の水平態様で当該レール状上端面の下方に形成されて、スライダ１８の下凹状部１８ｆを案内する一対のレール状外向き下端凸状部，
１６ｋはその下面（天井面）でトリガレバー１７の上端面部分を受ける平面略Ｖ字状の上端枠状部（上枠状部分），
１６ｍは上端枠状部１６ｋの内側面（前端側部分を除く）に形成されてロックモードの後述のスライダ１８を受ける対向状態の一対の曲線状段部，
をそれぞれ示している。
【００２６】
また、
１７はカラー部材１６の孔部１６ｂに回動可能な形で取り付けられた上側・下側開口態様のトリガレバー，
１７ａは当該トリガレバーの操作対象部，
１７ｂは当該トリガレバーの内側面後端部分に形成されてカラー部材１６の孔部１６ｂとの係合作用により回動中心となる一対の凸状軸部，
１７ｃは操作対象部１７ａから後方に延びる態様で形成された一対の縦板状部，
１７ｄは縦板状部１７ｃの上端前側部分に外側への水平態様で前後方向に形成されて、その下面部分がロックモードにおける後述のスライダ１８の直線状ロック作用部１８ｍの上面部分と当接し、当該トリガレバーの引き操作の阻止作用を呈する一対の直線状被ロック作用部，
１７ｅは縦板状部１７ｃの後端外側面に、その外方に突出する態様で方上下方向に形成されて、後述のスライダ１８が、静止アンロックモードの初期段階（図２参照：放出口１５ｂは未露出）からその最終段階（図３参照：放出口１５ｂは露出）まで変位する際に、後述のスライダ１８のトリガレバー駆動作用部１８ｎによるテーパ押圧作用で下方に駆動される一対の縦凸状部，
１７ｆは縦板状部１７ｃの後端側部分その下方に延びる態様で前後方向に形成されて、図１の静止ロックモードのときは後述のスライダ１８の腕状ロック作用部１８ｄで当接保持され、図２の静止アンロックモード初期段階ではこの当接保持状態が解除され、かつ、図３の静止アンロックモード最終段階のときはステムジョイント１５の被駆動凸状部１５ｄに当接する一対のカム作用部，
１７ｇはカム作用部１７ｆの下端面からなる一対のカム作用面，
１７ｈはカム作用面１７ｇの後方に続く一対の後テーパ状側面，
をそれぞれ示している。
【００２７】
また、
１８は静止ロックモードにおいて、カラー部材１６の曲線状段部１６ｍに保持されるシャット状態ロック用・トリガレバー初期駆動用のスライダ，
１８ａは当該スライダの上部分であって小判状・変形楕円状の天板部（天板作用部），
１８ｂは天板部１８ａの上面に形成されたスライド操作用の窪み状部，
１８ｃは天板部１８ａの天井面後側部分の左右方向に形成された単一板状でロック作動用の柱状垂下部，
１８ｄは柱状垂下部１８ｃの中間部から前方向に延び、その前上端部分および前下部分がテーパ態様で形成されて、静止ロックモードのときにトリガレバー１７のカム作用部１７ｆを当接保持し、かつ、引き操作後のトリガレバー１７を静止ロックモード位置に復帰させる一対の腕状ロック作用部，
１８ｅは柱状垂下部１８ｃの左右の外側面下側部分に形成されて、当該スライダのスライド操作の際に、自らの下面部分がカラー部材１６のレール状上端面１６ｈに案内される一対の上凸状部，
１８ｆは柱状垂下部１８ｃの左右外側面の上凸状部１８ｅよりも下側に形成されて、当該上凸状部と同様にカラー部材１６のレール状外向き下端凸状部１６ｊに案内される一対の下凹状部，
１８ｇは柱状垂下部１８ｃの前面下端側から前方向に延びる態様で形成されて、ロックモードのときにステムジョイント１５の筒状部下端面を当接保持する円弧状段部，
１８ｈは天板部１８ａの後側天井面から下方に延びる態様で、柱状垂下部１８ｃの左右両側離間部分の前後方向に形成された被ガイド用の一対の板状垂下部，
１８ｊは板状垂下部１８ｈの前側部分であってカラー部材１６の上段部１６ｃに案内される一対の前側下端面，
１８ｋは板状垂下部１８ｈの後側部分であってカラー部材１６の下段部１６ｄに案内される一対の後側下端面，
１８ｍは板状垂下部１８ｈの内面の前側下端面１８ｊと略同じ高さ部分に形成されて、その上面部分がトリガレバー１７の直線状被ロック作用部１７ｄの下面部分と当接する一対の直線状ロック作用部，
１８ｎは直線状ロック作用部１８ｍの先端部分に下向きの後テーパ面態様で形成されて、当該スライダの静止アンロックモードへと後退する際にトリガレバー１７の縦凸状部１７ｅを下方向に駆動する一対のトリガレバー駆動作用部，
１８ｐは板状垂下部１８ｈの、後側下端面１８ｋの直上外側面部分に形成されてカラー部材１６の横溝状部１６ｆに案内される一対の前後方向の外向き凸状部，
をそれぞれ示している。
【００２８】
ここで、ハウジング１３，ステム１４，ステムジョイント１５，カラー部材１６，トリガレバー１７およびスライダ１８などは、例えばポリプロピレン，ポリエチレン，ポリアセタール，ナイロン，ポリブチレンテレフタレートなどからなるプラスチック製のものである。
【００２９】
また、容器本体１１やマウンティングキャップ１２は金属製のものであり、ステムガスケット１４ｃはゴム製のものであり、コイルスプリング１４ｄはプラスチック製，金属製のものである。
【００３０】
利用者がトリガレバー１７を引き操作していない静止モードは、スライダ１８の前後方向の設定位置により、当該トリガレバーの内容物放出操作が阻止される静止ロックモード（図１参照）と、当該内容物放出操作が阻止されない静止アンロックモード（図２，図３参照）と、に区別される。
【００３１】
スライダ１８は、図２の静止アンロックモード（初期状態）のとき図１の位置から5.8mmほど後退し、図３の静止アンロックモード（最終状態）のとき図１の位置から7.0mmほど後退している。
【００３２】
すなわち、図２の静止アンロックモード（初期状態）では、トリガレバー１７が図１の位置から回動せずに、放出口１５ｂはトリガレバー１７で閉塞されたままである。
【００３３】
他方、図３の静止アンロックモード（初期状態）では、トリガレバー１７がスライダ１８の後方へのさらなるスライド操作に応じて反時計方向に連動し、放出口１５ｂは外部空間域に露出した状態になっている。
【００３４】
図示のシャッタートリガ機構は、概略、
(21)カラー部材１６の上端枠状部１６ｋに、前後方向へスライドが可能なスライダ１８を設け、
(22)スライダ１８に、それが静止ロックモードの最前位置へ設定されたとき（図１参照）、トリガレバー１７を保持してその引き操作（回動操作）を阻止するための腕状ロック作用部１８ｄや直線状ロック作用部１８ｍ、
ならびにステムジョイント１５およびこれと一体のステム１４の作動モード位置への移動を阻止するための円弧状段部１８ｇを形成し、
(23)スライダ１８の後方へのスライド操作の第一段階で、上記(22)の引き操作阻止作用および作動モード位置への移動阻止作用をいわば解除して（図２参照）、
(24)この第一段階に続く、スライダ１８の後方へのスライド操作の第二段階で、トリガレバー駆動作用部１８ｎのテーパ押圧作用によりトリガレバー１７の縦凸状部１７ｅを下方に駆動し（図３参照）、
(25)この第二段階までのスライド操作は、スライダ１８がカラー部材１６の後側内面にあたった段階で終了し（図３参照）、
(26)このスライド操作の終了段階において、トリガレバー１７のカム作用面１７ｇがステムジョイント１５の被駆動凸状部１５ｄに略当接した状態にあり（図３参照）、
(27)その後の利用者のトリガレバー１７の引き操作（回動操作）によりステムジョイント１５およびステム１４が下方に駆動されて、内容物噴射状態へ移行する（図４参照）。
【００３５】
そして、利用者が図４のトリガレバー１７の引き操作（回動操作）をやめると、
(31)先ず、ステム１４，ステムジョイント１５および当該ステムジョイントにいわば乗っかった形のトリガレバー１７の全体が、コイルスプリング１４ｄの弾性力により上動し、図３の状態へ復帰し、
(32)この復帰状態で、利用者がスライダ１８を前進スライド操作することにより、先ず腕状ロック作用部１８ｄの先端部分がトリガレバー１７の後テーパ状側面１７ｈを前方に駆動し（図５参照）、
(33)さらなるスライダ１８の前進により、腕状ロック作用部１８ｄがカム作用部１７ｆの下側にいわば潜り込んで、トリガレバー１７を反時計方向に回動させ（図６参照）、
(34)最終的には、トリガレバー１７の直線状被ロック作用部１７ｄ，カム作用部１７ｆがそれぞれスライダ１８の直線状ロック作用部１８ｍ，腕状ロック作用部１８ｄの直上側に位置し、かつ、ステムジョイント１５の筒状部の下端部分がスライダ１８の円弧状段部１８ｇの直上側に位置した形の、図１の静止ロックモードに復帰する。
【００３６】
なお、図２の静止アンロックモード（初期状態）のトリガレバー１７を引き操作する、すなわちスライダ１８の後退スライド操作は図２の状態で止めてからトリガレバー１７を引き操作することにより、容器本体１１の収容内容物が外部空間域に噴射される作動モードを設定してもよい。
【００３７】
図１の静止ロックモードのシャッタートリガ機構を使用するには、利用者が先ずスライダ１８を後方向に移動させてトリガレバー１７のロック状態を解除する、すなわち当該スライダと当該トリガレバーとの位置関係を、図１の静止ロックモードから、図２または図３の静止アンロックモードの状態にシフトさせることが必要である。
【００３８】
図１の静止ロックモードにおけるトリガレバー１７の引き操作の阻止は、
(41)直線状被ロック作用部１７ｄの下面部分が、スライダ１８の直線状ロック作用部１８ｍの上面部分に当接保持され、
(42)カム作用面１７ｇが、スライダ１８の腕状ロック作用部１８ｄに当接保持される、
ことにより担保される。
【００３９】
また、内容物放出状態（作動モード）設定の必須動作であるステム１４の下動が、ステムジョイント１５の筒状部下端部分とスライダ１８の円弧状段部１８ｇとの間の保持作用部により阻止されている。
【００４０】
利用者が、図１のスライダ１８を図２の位置へスライドさせると、それまでのトリガレバー１７およびステムジョイント１５に対しての、
(51)トリガレバー１７の直線状被ロック作用部１７ｄの下面部分を保持し、
(52)トリガレバー１７のカム作用面１７ｇを保持し、
(53)ステムジョイント１５の筒状部を保持する、
といった当該スライダのロック作用がすべて解除される。
【００４１】
このとき、
(61)トリガレバー１７の縦凸状部１７ｅにスライダ１８のトリガレバー駆動作用部１８ｎが略当接し、
(62)ノズル１５ａの放出口１５ｂは、図１の静止ロックモードと同じようにトリガレバー１７で外から見えない形に設定され、
(63)図１の状態から移動していないトリガレバー１７のカム作用部１７ｆはステムジョイント１５の被駆動凸状部１５ｄから離間したまま、
の状態である。
【００４２】
さらに図２のスライダ１８を図３の位置までスライドさせると、
(71)トリガレバー駆動作用部１８ｎからトリガレバー１７の縦凸状部１７ｅに、下方への駆動力が作用して、当該トリガレバーは凸状軸部１７ｂを中心に反時計方向に回動し、その結果、ノズル１５ａの放出口１５ｂが露出し、
(72)このトリガレバー１７の回動にともない、そのカム作用面１７ｇがステムジョイント１５の被駆動凸状部１５ｄに略当接した、
状態に移行する。
【００４３】
すなわち、図２の静止ロックモードから図３の静止アンロックモードへの移行にともない、トリガレバー１７がスライダ１８といわば連動する形で反時計方向に回動するものの、ステムジョイント１５およびこれと一体のステム１４は移動しない。したがって、図３のシャッタートリガ機構の状態で容器本体１１の収容内容物が放出口１５ｂから噴射されることはない。
【００４４】
スライダ１８を最大限後退させた図３の静止アンロックモードにおいては、トリガレバー１７のロック状態が解除され、かつ、ノズル１５ａの放出口１５ｂが外部空間域に露出している。
【００４５】
図４に示すように、図３の放出口露出状態で利用者がトリガレバー１７の引き操作（回動操作）おこなうと、ステム１４およびこれと一体のステムジョイント１５がコイルスプリング１４ｄの弾性力に抗しながら下動する。
【００４６】
このステム１４の下動にともなうバルブ作用および噴射ガス作用により、容器本体１１の収容内容物は、「ステム１４の横孔部１４ａ−中間通路域１４ｂ−ステムジョイント１５のＬ字状筒状部−ノズル１５ａ」を経て放出口１５ｂから外部空間域に噴射される（図４参照）。この噴射用ガスの作用に基づく内容物放出動作は周知である。
【００４７】
なお、放出口１５ｂが露出していない図２の静止アンロックモード（初期状態）でもトリガレバー１７の引き操作は可能である。
【００４８】
このときも勿論、図４で示すように、トリガレバー１７の引き操作にともない露出する放出口１５ｂから、容器本体１１の収容内容物が外部空間域に噴射される。
【００４９】
利用者がトリガレバー１７の引き操作（回動操作）を止めると、ステム１４およびこれと一体のステムジョイント１５がコイルスプリング１４ｄの弾性力により上動して図３の位置に復帰する。
【００５０】
このステムジョイント復帰状態で、利用者がスライダ１８を前方にスライドさせることにより、その腕状ロック作用部１８ｄの先端面がトリガレバー１７の後テーパ状側面１７ｈに当接し、当該トリガレバーを時計方向に駆動する（図５参照）。
【００５１】
図６に示すように、図５のスライダ１８のさらなる前方へのスライド操作にともなって、トリガレバー１７がその凸状軸部１７ｂを中心に時計方向へと回動する。
【００５２】
この回動にともない、スライダ１８の腕状ロック作用部１８ｄがトリガレバー１７のカム作用部１７ｆの下に入り込み、その上面でカム作用面１７ｇを保持する。
【００５３】
このとき、スライダ１８の直線状ロック作用部１８ｍがトリガレバー１７の直線状被ロック作用部１７ｄを保持でき、かつ、スライダ１８の円弧状段部１８ｇがステムジョイント１５の筒状部下端を保持できる状態に移行する。
【００５４】
すなわち、スライダ１８の前方へのスライド操作の終了にともない、シャッタートリガ機構は図１の静止ロックモードへ復帰する。
【００５５】
なお、カラー部材１６およびスライダ１８のそれぞれには、当該スライダが図２の静止アンロックモード（初期状態）の位置に移動したことを利用者に感知させるためのクリック感生成作用部が形成されている。
【００５６】
スライダ１８が図３の静止アンロックモード（最終状態）の位置まで後退すると、その柱状垂下部１８ｃの後面部分がカラー部材１６の後側起立部の内面部分にあたる。そのため、スライダ１８が図３の位置以上に後退することはない。
【００５７】
図示のシャッタートリガ機構の組立て手順は例えば次のようになる。
(81)凸状垂下部１５ｅを縦溝状部１６ｇにガイドさせるかたちで、ステムジョイント１５をカラー部材１６の上方開口部から下方に入れ、
(82)次に、カム作用面１７ｇの下側に被駆動凸状部１５ｄが設定されるように、トリガレバー１７をカラー部材１６の前開口部から後方に入れて、一対の凸状軸部１７ｂを一対の孔部１６ｂにそれぞれ係合させ、
(83)次に、カラー部材１６の上方開口部から、スライダ１８を、最大限後退させた状態（図３参照）で下方にいれた後、前方に移動させて、図１の静止ロックモードにする。
【００５８】
上記(82)の手順の際には、一対の凸状軸部１７ｂが、それぞれカラー部材１６の外周面に孔部１６ｂから前方に伸びる態様で形成された溝状部に案内されながら外側に広げられて当該孔部へと移動する。
【００５９】
上記(83)の手順において、スライダ１８を前方に移動する際には、前方に移動する円弧状段部１８ｇの前端部に設けられた上向き斜面が、ステムジョイント１５の筒状部下端面を押し上げて、ステムジョイント１５を図１の静止ロックモードの位置に設定する。
【００６０】
本発明が、図示の実施形態に限定されないことは勿論であって例えば、
(91)トリガレバー１７の前上端部の内側に、静止ロックモードにおいて放出口１５ｂを閉鎖し内容物の漏出を防止するシール作用部を設ける、
(92)トリガレバー１７の操作対象部１７ａに指の滑りとめの凹状部，凸状部などを形成する、
(93)静止ロックモードにおけるスライダ１８のロック保持対象を、トリガレバー１７のカム作用部１７ｆ（カム作用面１７ｇ）のみとする、
(94)トリガレバー１７のカム作用部１７ｆ以外の部分を、静止ロックモードにおけるスライダ１８のロック保持対象とする、
(95)スライダ１８の円弧状段部１８ｇを省略する、
(96)図１の静止ロックモードおよび図２の静止アンロックモードにおける放出口１５ｂのカバー状態を、カラー部材１６の上端枠状部１６ｋとトリガレバー１７の前上端面との小離間状態の形で設定する、
ようにしてもよい。
【００６１】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６２】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６７】
高分子化合物としては、メチルセルロース，ゼラチン，デンプン，カゼイン，ヒドロキシエチルセルロース，キサンタンガム，カルボキシビニルポリマーなどを用いる。
【００６８】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６９】
さらに、上記内容物以外の、懸濁剤，紫外線吸収剤，乳化剤，保湿剤，酸化防止剤、金属イオン封鎖剤なども用いることができる。
【００７０】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７１】
１１：容器本体
１２：マウンティングキャップ
１２ａ：環凹状部
１３：ハウジング
【００７２】
１４：ステム（ステム作用部）
１４ａ：横孔部
１４ｂ：中間通路域
１４ｃ：ステムガスケット
１４ｄ：コイルスプリング
【００７３】
１５：ステムジョイント（ステム作用部）
１５ａ：ノズル
１５ｂ：放出口
１５ｃ：半円板状テラス部
１５ｄ：一対の被駆動凸状部
１５ｅ：一対の凸状垂下部
【００７４】
１６：カラー部材
１６ａ：一対の孔部
１６ｃ：一対の上段部
１６ｄ：一対の下段部
１６ｅ：一対の起立ガイド面
１６ｆ：一対の横溝状部
１６ｇ：一対の縦溝状部
１６ｈ：一対のレール状上端面
１６ｊ：一対のレール状外向き下端凸状部
１６ｋ：平面略Ｖ字状の上端枠状部
１６ｍ：一対の曲線状段部
【００７５】
１７：上側・下側開口態様のトリガレバー
１７ａ：操作対象部
１７ｂ：一対の凸状軸部
１７ｃ：一対の縦板状部
１７ｄ：一対の直線状被ロック作用部（被ロック作用部）
１７ｅ：一対の縦凸状部（第二の被駆動部）
１７ｆ：一対のカム作用部（第一の被駆動部，被ロック作用部）
１７ｇ：一対のカム作用面（異なる面部分）
１７ｈ：一対の後テーパ状側面（異なる面部分）
【００７６】
１８：操作ロック用のスライダ（スライド部材）
１８ａ：天板部
１８ｂ：スライド操作用の窪み状部
１８ｃ：単一板状でロック作動用の柱状垂下部（垂下部分）
１８ｄ：一対の腕状ロック作用部（引き操作阻止部，トリガレバー駆動部，異なる面部分，前向き凸状部）
１８ｅ：一対の上凸状部
１８ｆ：一対の下凹状部
１８ｇ：円弧状段部（ステムロック作用部）
１８ｈ：一対の板状垂下部（垂下部分）
１８ｊ：一対の前側下端面
１８ｋ：一対の後側下端面
１８ｍ：一対の直線状ロック作用部（引き操作阻止部）
１８ｎ：一対のトリガレバー駆動作用部（トリガレバー初期駆動部）
１８ｐ：一対の外向き凸状部
【図１】
2015020775.tif 000003
【図２】
2015020775.tif 000004
【図３】
2015020775.tif 000005
【図４】
2015020775.tif 000006
【図５】
2015020775.tif 000007
【図６】
2015020775.tif 000008
【図７】
2015020775.tif 000009
【図８】
2015020775.tif 000010
【図９】
2015020775.tif 000011
【図１０】
2015020775.tif 000012